(57)【特許請求の範囲】
【請求項１】
多数の手提げ用の布紐を帯紙に貼り付けて成る布紐把手連続体を、把手製造装置から製袋機へ搬送する布紐把手搬送装置であって、水平軸を中心として回転する垂直回転ガイドロールの下流側に、垂直軸を中心として回転する水平回転ガイドロールが配置され、前記垂直回転ガイドロールは前記布紐把手連続体を、布紐を側方に向けてガイドし、前記水平回転ガイドロールは前記布紐把手連続体を、布紐を下方に向けて前記製袋機へ送り込むことを特徴とする布紐把手搬送装置。
【請求項２】
搬送方向末端部に、前記帯紙を紐の両側で切断して把手部を形成するカッターが設置されると共に、該カッターの下流側に、前記把手部を前記製袋機で搬送される袋用紙上に供給する把手挿入部が設置されたことを特徴とする請求項１に記載の布紐把手搬送装置。
【請求項３】
それぞれ前記布紐把手連続体を搬送し、前記把手挿入部の両側に達する二つのルートを有することを特徴とする請求項２に記載の布紐把手搬送装置。
【請求項４】
前記把手挿入部は、互いに隣接されて逆回転する第１受渡シリンダー及び第２受渡シリンダーを備え、前記第２受渡シリンダーは、前記袋用紙を搬送しながら口折りを施す口折大シリンダーに隣接して逆回転し、前記第１受渡シリンダーは、布紐が下方へ向いた前記把手部を受け取って、布紐を回転方向の後方に向けて前記第２受渡シリンダーへ受け渡し、該第２受渡シリンダーは、前記把手部を前記口折大シリンダーで搬送される袋用紙の口部上面に、布紐を搬送方向の後方に向けて受け渡すことを特徴とする請求項２又は３に記載の布紐把手搬送装置。
【請求項５】
前記第１受渡シリンダーの外周面に、起伏自在で、起立時に前記把手部を把持可能な第１つかみ爪が設けられ、前記２受渡シリンダーの外周面に、起伏自在で、起立時に前記把手部を把持可能な第２つかみ爪が設けられ、前記第１つかみ爪は、第２受渡シリンダーと接した時に倒れて前記把手部を前記第２つかみ爪に受け渡し、前記第２つかみ爪は、前記口折大シリンダーと接した時に倒れて前記把手部を袋用紙の口部上に受け渡すことを特徴とする請求項４に記載の布紐把手搬送装置。
【発明の詳細な説明】
【技術分野】
【０００１】
本発明は、コシの無い提げ手用布紐を帯状の補強紙に貼り付けて成る布紐把手連続体を、把手製造装置から製袋機へ搬送するのに好適な布紐把手搬送装置に関する。
【背景技術】
【０００２】
把手付き紙袋は、袋本体の上端部に一対の紐を取り付けて把手としてあるが、紙袋に収容した物品の重量で袋本体が破れるのを防ぐために、湾曲した紐の両端部を２枚の補強紙で挟んで成る把手部を袋本体に貼り付けることが多い。
一般的な把手製造装置は、紐を連続的に蛇行させて、湾曲した頂部が両側からはみ出すように帯紙に貼り付け、貼り付けたものを帯紙の中心線に沿って切断して帯状の把手連続体を形成する。この把手連続体は並設した製袋機に搬送され、製袋機の入口部分において紐の両側で適宜長さに切断され、得られた把手部が袋本体に貼り付けられる。
【０００３】
従来の把手製造装置としては、例えば、特許文献１に記載されたものが知られている。このような従来の把手製造装置は、製造された帯状の把手連続体を、水平軸を中心として回転する複数のガイドロールに巻き付けて、紐が補強紙から側方へ張り出した状態で製袋機に搬送していた。
しかし、布紐のようにコシが無い紐の場合には、補強紙から不規則な姿勢で垂れ下がって形状が安定しないため、帯状の補強紙を適宜長さに切断する際に紐も切ってしまったり、切断された補強紙と共に紐の先端部までも袋本体に接着してしまうなどのトラブルが発生し易かった。
【先行技術文献】
【特許文献】
【０００４】
【特許文献１】特開平１０−０７６５８１号公報
【発明の概要】
【発明が解決しようとする課題】
【０００５】
本発明が解決しようとする課題は、多数の提げ手用布紐を帯紙に貼り付けて成る布紐把手連続体を把手製造装置から製袋機へ、布紐を安定した形状・姿勢で搬送できる布紐把手搬送装置を提供することにある。
【課題を解決するための手段】
【０００６】
本発明は、多数の手提げ用の布紐を帯紙に貼り付けて成る布紐把手連続体を、把手製造装置から製袋機へ搬送する布紐把手搬送装置に関し、水平軸を中心として回転する垂直回転ガイドロールの下流側に、垂直軸を中心として回転する水平回転ガイドロールが配置され、前記垂直回転ガイドロールは前記布紐把手連続体を、紐を側方に向けてガイドし、前記水平回転ガイドロールは前記布紐把手連続体を、紐を下方に向けて前記製袋機へ送り込む。
【０００７】
搬送方向末端部に、前記帯紙を布紐の両側で切断して把手部を形成するカッターが設置されると共に、該カッターの下流側に、前記把手部を前記製袋機で搬送される袋用紙上に供給する把手挿入部が設置されることがある。
この場合、それぞれ前記布紐把手連続体を搬送し、前記把手挿入部の両側に達する二つのルートを有してもよい。
【０００８】
前記把手挿入部は、互いに接して逆回転する第１受渡シリンダー及び第２受渡シリンダーを備え、前記第２受渡シリンダーは、前記袋用紙を搬送しながら口折りを施す口折大シリンダーに接して逆回転し、前記第１受渡シリンダーは、布紐が下方へ向いた前記把手部を受け取って、布紐を回転方向の後方に向けて前記第２受渡シリンダーへ受け渡し、該第２受渡シリンダーは、前記把手部を前記口折大シリンダーで搬送される袋用紙の口部上面に、布紐を搬送方向の後方に向けて受け渡すことがある。
前記第１受渡シリンダーの外周面に、起伏自在で、起立時に前記把手部を把持可能な第１つかみ爪が設けられ、前記２受渡シリンダーの外周面に、起伏自在で、起立時に前記把手部を把持可能な第２つかみ爪が設けられ、前記第１つかみ爪は、第２受渡シリンダーと接した時に倒れて前記把手部を前記第２つかみ爪に受け渡し、前記第２つかみ爪は、前記口折大シリンダーと接した時に倒れて前記把手部を袋用紙の口部上に受け渡してもよい。
【発明の効果】
【０００９】
本発明によれば、自立性の無い柔らかい布紐を用いた把手連続体であっても、重力によって規則的な姿勢及び形状で製袋機へ送り込むことができるので、把手連続体を短く分断する際に布紐を切断したり、布紐の先端部を袋用紙に接着する等のトラブルを防ぐことができる。
【図面の簡単な説明】
【００１０】
【図１】本発明の実施例に係る把手製造装置及び製袋機の平面図である。
【図２】本発明の実施例に係る布紐把手連続体の平面図である。
【図３】本発明の実施例を示す布紐把手搬送装置の側面図である。
【図４】本発明の実施例を示す布紐把手搬送装置の正面図である。
【図５】本発明の実施例に係る把手挿入部の斜視図である。
【図６】本発明の実施例に係る把手挿入部の正面図である。
【図７】本発明の実施例に係る把手挿入部の側面図である。
【発明を実施するための形態】
【００１１】
以下、本発明の実施例を図面に基づいて詳細に説明する。
図１は、本発明に係る把手製造装置Ａ及び製袋機Ｅを示す。
把手製造装置Ａは、製袋機に並設され、紐引出し装置ａと、紐掛部ｂと、接着部ｃと、切断部ｄと、把手紐保留装置ｅとを備える。
紐引出し装置ａは、ロール状に巻いた提げ手用の布紐Ｂを引き出して紐掛部ｂへ送り込み、紐掛部ｂは、布紐Ｂを連続して蛇行した状態で接着部ｃへ案内する。接着部ｃは、長手方向に沿って搬送される２枚の帯紙Ｃの間に蛇行した布紐Ｂを挟んで接合し（図２参照）、切断部ｄは、帯紙Ｃを中心線Ｌに沿って切断して、湾曲した多数の布紐Ｂを半幅とした帯紙Ｃに貼り付けて成る布紐把手連続体Ｄを形成する。布紐把手連続体Ｄは、把手紐保留装置ｅにストックしておき、製袋機Ｅの生産速度に合わせて、布紐把手搬送装置ｆにより把手紐保留装置ｅから製袋機Ｅの把手挿入部ｇへ搬送される。製袋機Ｅへ搬送された布紐把手連続体Ｄは、把手挿入部ｇの直前において、布紐Ｂの両側の位置Ｗで所定の長さに切断されて把手部Ｆが形成され、この把手部Ｆが袋本体に取り付けられる。
【００１２】
布紐把手搬送装置ｆは、長手方向に沿って切断された２条の布紐把手連続体Ｄを個別に搬送する二つのルートを有し、二つのルートは製袋機Ｅの両側に達する。布紐把手搬送装置ｆの二つのルートは、図３及び図４に示すように、水平軸１ａを中心として回転する垂直回転ガイドロール１と、その下流側に配置され、垂直軸２ａを中心として回転する水平回転ガイドロール２とを備える。
垂直回転ガイドロール１は、把手紐保留装置ｅの把手排出部から製袋機Ｅの把手挿入部ｇの高さまで布紐把手連続体Ｄを揚送する部分であり、両者の高さの差に応じて適宜数設置される。
そして、垂直回転ガイドロール１には、布紐把手連続体Ｄが布紐Ｂを側方に向けて巻き付けられる（図３）。
【００１３】
また、水平回転ガイドロール２は、把手紐保留装置ｅの把手排出部から製袋機Ｅの把手挿入部ｇまで布紐把手連続体Ｄを水平方向に搬送する部分であり、両者の距離に応じて適宜数設置される。
水平回転ガイドロール２には、布紐把手連続体Ｄが布紐Ｂを下方に向けて巻き付けられ（図４）、布紐把手連続体Ｄはこの状態で製袋機Ｅの把手挿入部ｇへ送り込まれる。
把手挿入部ｇの直前には、帯紙Ｃを所定長さに切断する図示しないカッターが設置される。このカッターは、外周面に切断刃が設けられた切断ローラと、切断ローラに対向する受けローラとから成る圧接ローラ等の従来周知のものなので、詳細な説明は省略する。
【００１４】
把手挿入部ｇは、図５〜図７に示すように、それぞれ左右一対の第１受渡シリンダー３及び第２受渡シリンダー４から成り、第１受渡シリンダー３及び第２受渡シリンダー４は口折大シリンダー５の上方の両側に設置される。左右の第１受渡シリンダー３及び第２受渡シリンダー４は同じ構造なので、図には一方のみを示す。
口折大シリンダー５の外周面には、折り畳み前の袋用紙Ｇが、口部を搬送方向後方に向けて送り込まれる（図５）。
第１受渡シリンダー３と第２受渡シリンダー４とは、上下に配置されて相互に接しており、等速で逆回転する。第２受渡シリンダー４は、口折大シリンダー５に接して、口折大シリンダー５と逆回転する。
【００１５】
図７に示すように、第１受渡シリンダー３の外周面には起伏自在の左右一対の第１つかみ爪６が設けられ、第２受渡シリンダー４の外周面には起伏自在の左右一対の第２つかみ爪７が設けられる。
第１つかみ爪６は、内角側が第１受渡シリンダー３の回転方向前方を向くよう屈曲したＬ字状をなし、帯紙Ｃに下から引っ掛かって把手部Ｆを把持する。また、第１つかみ爪６は、第２受渡シリンダー４に接した時に圧力により倒れて、第１受渡シリンダー３内に格納される。
第２つかみ爪７は、内角側が第２受渡シリンダー４の回転方向前方を向くよう屈曲したＬ字状をなし、帯紙Ｃを上から押えて把手部Ｆを把持する。また、第２つかみ爪７は、口折大シリンダー５に接した時に圧力により倒れて、第２受渡シリンダー４内に格納される。なお、第１つかみ爪６と第２つかみ爪７とは、出没動作を阻害し合わないよう、幅方向にずれた位置に配置される。
【００１６】
布紐把手連続体Ｄを所定長さに切断して形成された把手部Ｆは、順次、第１受渡シリンダー３の外周面に布紐Ｂを下に向けて側方から受け渡される。第１受渡シリンダー３の第１つかみ爪６は、第１受渡シリンダー３の回転に伴って把手部Ｆの帯紙Ｃを下方から把持し、把手部Ｆは布紐Ｂを後方に向けて回転（図７の時計回り方向の回転）する。
第１つかみ爪６は、第２受渡シリンダー４と接すると倒れて第１受渡シリンダー３内に格納され、把手部Ｆを解放する。
すると、第２受渡シリンダー４の第２つかみ爪７が、第１受渡シリンダー３との接触による圧力で把手部Ｆの帯紙Ｃを上から押さえつけて把持し、第２受渡シリンダー４の回転に伴って、把手部Ｆは布紐Ｂを後方に向けて回転（図７の反時計回り方向の回転）する。
【００１７】
第２つかみ爪７は、口折大シリンダー５に接すると倒れて第２受渡シリンダー４内に格納され、把手部Ｆを解放する。
口折大シリンダー５は、折り畳む前の袋用紙Ｇが口部を後方に向けて搬送しており、第２つかみ爪７が解放した把手部Ｆは、口折大シリンダー５上の袋用紙Ｇの口部上面に、布紐Ｂを搬送方向後方に向けて受け渡される。これにより、布紐Ｂは、製袋機Ｅ中での搬送中にも形状・姿勢が不規則になり難い。
【００１８】
袋用紙Ｇの口部上面には、口折大シリンダー５よりも上流側において接着剤が塗布されており、第２つかみ爪７から受け渡された把手部Ｆは、口折大シリンダー５の下流側に位置する接着ロール（図示せず）で押圧されて、袋用紙Ｇの口部両側にそれぞれ貼り付けられる。
把手部Ｆが貼付された袋用紙Ｇは、折り畳み工程に搬送されて袋状に折り畳まれる。この結果、袋用紙Ｇの口部両側に貼り付けられた把手部Ｆは、袋の前面側の把手部Ｆと後面側の把手部Ｆとなる。
【符号の説明】
【００１９】
Ａ  把手製造装置
Ｂ  布紐
Ｃ  帯紙
Ｄ  布紐把手連続体
Ｅ  製袋機
Ｆ  把手部
Ｇ  袋用紙
ａ  紐引出し装置
ｂ  紐掛部
ｃ  接着部
ｄ  切断部
ｅ  把手紐保留装置
ｆ  布紐把手搬送装置
ｇ  把手挿入部
１  垂直回転ガイドロール
１ａ  水平軸
２  水平回転ガイドロール
２ａ  垂直軸
３  第１受渡シリンダー
４  第２受渡シリンダー
５  口折大シリンダー
６  第１つかみ爪
７  第２つかみ爪
【要約】
【課題】多数の提げ手用布紐を帯紙に貼り付けて成る布紐把手連続体を把手製造装置から製袋機へ、布紐を安定した形状・姿勢で搬送できる布紐把手搬送装置を提供すること。
【解決手段】水平軸１ａを中心として回転する垂直回転ガイドロール１の下流側に、垂直軸２ａを中心として回転する水平回転ガイドロール２が配置され、垂直回転ガイドロール１は布紐把手連続体Ｄを、布紐Ｂを側方に向けてガイドし、水平回転ガイドロール２は布紐把手連続体Ｄを、布紐Ｂを下方に向けて製袋機へ送り込む。
【選択図】図４【図１】
0005919452.tif 000002
【図２】
0005919452.tif 000003
【図３】
0005919452.tif 000004
【図４】
0005919452.tif 000005
【図５】
0005919452.tif 000006
【図６】
0005919452.tif 000007
【図７】
0005919452.tif 000008